(57)【要約】      （修正有）【課題】大型の機械が入れないような圃場で、保管場所に有る堆肥を積み込み堆肥散布場所まで移動して、作物に適した量の堆肥の筋蒔き減量撒き又は点撒き散布する１輪堆肥散布機を提供する。【解決手段】１つの車輪１の車軸４の右側と左側に２つの羽根車３及び、車輪１の回転を必要時にそれぞれの羽根車３に伝える右及び左の断続器２と、これらの断続器２を操作する、右及び左の断続器操作レバー６と、２つの羽根車３の上半分を羽根車３の回転を阻害する事無く且つ、堆肥が漏れ出す事のない間隔を有してそれぞれを覆う２つの堆肥を積み込むホッパー５を配置し、車輪１の回転の力で断続器２を介し羽根車３を回転させて、ホッパー５内に積み込まれた堆肥を羽根車３が回転した際に、順次ホッパー５の外に排出させて、圃場に落として堆肥を圃場に散布する。【選択図】図２
0003199597.tif 000002
【実用新案登録請求の範囲】
【請求項１】
１つの車輪の車軸の両側に２つの羽根車及び、車輪の回転を必要時にそれぞれの羽根車に伝える２つの断続器と、この２つの断続器を操作する為の、２つの断続器操作レバーと、２つの羽根車の上半分を、回転を阻害する事無く且つ、堆肥が漏れ出す事のない間隔を有してそれぞれ覆う、２つの堆肥を積み込むホッパーから成る堆肥散布機で、前方又は後方に移動した際の車輪の回転の力で、断続器を介して羽根車を回転させ、ホッパー内に積み込まれた堆肥と接触している羽根車により、ホッパー内の堆肥をホッパーの外に掻き出す構造の堆肥散布機
【考案の詳細な説明】
【技術分野】
【０００１】本考案は、道幅が狭くて大型の機械が入れない圃場に、保管している堆肥を積み込み堆肥散布場所まで移動して、作物に適した量の堆肥を筋蒔き減量撒き又は点撒き散布する堆肥散布機に関する考案である。
【背景技術】
【０００２】従来の堆肥散布機は、堆肥を圃場に全面散布するもので、大型で高価であり、圃場迄の広い道路が必要な為、山間地農業・小規模農業・家庭菜園等では使用出来ず、手作業で行われているので、本考案の様な牛糞等の少量の水分を含む堆肥を大型の機械が入れない圃場に散布出来る堆肥散布機は、存在しない。
【先行技術文献】
【特許文献】
【０００３】
【特許文献１】特開２０１４−１０００７６
【特許文献２】特許５５０５６３８
【非特許文献】
【０００４】
【非特許文献１】
【考案の概要】
【考案が解決しようとする課題】
【０００５】本考案は、道幅が狭くて機械が入れない様な圃場で使用出来る少量の水分を含む牛糞等の堆肥散布機が存在しない為、人力で押しても動作する軽量なもので且つ、積み込まれた堆肥を目的の堆肥散布場所まで移動し、容易に堆肥の散布開始及び散布終了或いは減量散布が出来、さらに圃場に撒く堆肥の撒き方を筋蒔と点撒きの選択ができる様にした１輪堆肥散布機を提供することを目的としている。
【課題を解決するための手段】
【０００６】本考案は、上記目的を達成するために、１つの車輪の車軸の両側に２つの羽根車及び、車輪の回転を必要時にそれぞれの羽根車に伝える２つの断続器と、それらの羽根車の上半分を羽根車の回転を阻害する事無く且つ、堆肥が漏れ出す事のない間隔を有してそれぞれ覆う２つの堆肥を積み込むホッパーを組み合わせ、本考案の１輪堆肥散布機を前方又は後方に移動した際に、車輪の回転の力で２つの断続器を介して羽根車を回転させ、２つの羽根車もしくは、どちらか１つの羽根車の羽根の回転により、ホッパー内の堆肥をホッパーの外に排出し圃場に落とす事で、１輪堆肥散布機を構成していて、羽根車は形状の異なる［図３］の【０００７】筋蒔き用羽根車と［図４］の羽根車に羽根が無い部分があり、羽根車が回転してもこの部分だけホッパー内の堆肥を排出しない点撒き用羽根車と交換出来るものとした。
【考案の効果】
【０００８】以上の説明から明らかなように、本考案にあっては、次に列挙する効果が得られる。【０００９】１．本考案は、道幅が狭くて大型の機械が入れない様な圃場に［図３］の羽根車を取り付けて、車体を前方又は後方に移動するだけで牛糞等の少量の水分を含む堆肥を筋撒きする事が出来る。【００１０】２．羽根車の形状を、羽根の有るところと無いところを設けた［図４］の羽根車を取り付けて、車体を前方又は後方に移動するだけで牛糞等の少量の水分を含む堆肥を、圃場に点撒きすることが出来る。【００１１】３．右の羽根車又は、左の羽根車のどちらか１方の羽根車の回転で減量撒きが出来る。【００１２】４．従来の堆肥散布機の様な圃場への全面散布と違い、栽培する作物付近に堆肥を散布出来るので堆肥の使用量が少なくて済む。【００１３】５．一輪の為、狭いところを通行できる。【００１４】
【図面の簡単な説明】
【００１５】
【図１】は本考案の１輪堆肥散布機を左側から見た図であり、断続器２は車輪１の回転による、羽根車３の回転を断続させる。
【図２】は、１輪堆肥散布機の車輪の中心から後方を表した断面図である。
【図３】は、［図１］及び、［図２］の羽根車３を立体的にした筋蒔き用の羽根車の図である。
【図４】は、堆肥を点撒きするための羽根車で［図３］の羽根車３と付け替える事が出来るもので、羽根車に羽根が無い部分１０があって、羽根車が回転してもこの部分だけホッパー内の堆肥を排出しない。
【図５】は、車輪からホッパー側を表した図であって、羽根車とホッパーは、積み込んだ堆肥が漏れない程度の隙間を有している。
【考案を実施するための形態】
【実施例１】以下、実際の堆肥散布作業として実施例を説明する。【００１６】１．堆肥の積み込み
本考案の、１輪堆肥散布機［図１］のホッパー５に堆肥を積みこむ際は、車輪１と自立用脚８により静止しており車輪１が回転していないので、羽根車３は回転していない。この為羽根車３の羽根９の水平部分と、［図１］及び［図５］の様に、羽根車３の上半分を、回転を阻害する事無く堆肥が漏れ出す事のない間隔を有してそれぞれを覆うホッパー５の下部の水平部分により、ホッパー下部から堆肥が漏れ出す事は無いので堆肥の積み込みが出来る。
【実施例２】
【００１７】２．堆肥の散布場所迄の運搬
本考案の、１輪堆肥散布機  ［図１］を右又は左方向に移動させると車輪１が右又は左に回転する。それと同時に羽根車３と車輪１の間に設けた断続器２も右又は左方向に回転する。このとき散布作業者が手元のハンドル７に装備されている断続器操作レバー６の操作により、羽根車３と車輪１の間に設けた断続器２を切り離し状態としたとき、車輪１の回転は羽根車３に伝わらない。又、羽根車３の羽根９には、ホッパー５に積み込まれた堆肥の接触抵抗により羽根車３は回転しない為、ホッパー５の下部から堆肥が漏れ出す事は無いので堆肥の散布場所迄の運搬となる。
【実施例３】
【００１８】３．堆肥の散布
本考案の、１輪堆肥散布機  ［図１］を右又は左方向に動かすと、車輪１が右又は左に回転する。それと同時に断続器２も右又は左方向に回転する。このとき作業者が手元のハンドル７に装備されている断続器操作レバー６を操作しないと断続器２は接続状態となる為、車輪１の回転は羽根車３に伝わり、羽根車３が、堆肥を積み込んだホッパー５内の堆肥を羽根車３の羽根９と羽根９の間に溜めながら回転して、ホッパー５の下部から順次放出される。これによりのホッパー内の堆肥は、圃場に落ちて、堆肥の散布となる。
【実施例４】
【００１９】［図１］の車輪１の奥側も手前側と同じ構造で同じ働きをする。【００２０】［図１］の車輪１の奥側又は、車輪１の手前側の片側だけの操作も出来るので堆肥等を半分の量で散布する事が出来る。
【実施例５】
【００２１】４．筋蒔きと点撒き
圃場で育てる作物によっては、筋状に堆肥を撒かなければならない作物と、間隔をおいて堆肥を撒かなければならない作物があるので、［図３］の羽根車の羽【００２２】根９の無い部分［図４］の１０を設けた［図４］の羽根車によって、対応する。【００２３】通常は、［図３］の羽根車３の羽根９と羽根９の間に堆肥を溜めながら回転して、［図１］のホッパー下部から順次放出され筋蒔きとなるが、［図４］の羽根車３の様に羽根９と羽根９の間に、堆肥を溜められない部分１０を設けた羽根車を回転させて点撒きがすることが出来る。
【産業上の利用可能性】
【００２４】
【符号の説明】
【００２５】  １    車輪
２    断続器
３    羽根車
４    車軸
５    ホッパー
６    断続器操作レバー
７    ハンドル
８    自立用脚
９    羽根
１０  堆肥等を溜められない部分
【図１】
0003199597.tif 000003
【図２】
0003199597.tif 000004
【図３】
0003199597.tif 000005
【図４】
0003199597.tif 000006
【図５】
0003199597.tif 000007